(57)【特許請求の範囲】
【請求項１】
拳銃に似たガン本体の銃身部先端に、圧縮空気用と洗浄液用の各供給孔と繋がるジェットポンプ部を設け、そのガン本体の中間部に、前記各供給孔と繋がる出口部をもった圧縮空気用と洗浄液用の供給弁を設け、その銃把部に、銃把底面から上記各供給弁の入口部に至る圧縮空気用と洗浄液用の導入孔を穿設した洗浄兼エアブロー装置において、
前記各供給弁は、内装されたバネの弾撥力ですべり弁体が押されて閉弁され、該バネの弾撥力に抗してガン本体の前面箇所から突き出る弁体の突出端部を押し込むことによって開弁されるすべり弁となし、
前記銃身部には、圧縮空気用と洗浄液用の各すべり弁体の突出端部先端に当接する操作レバーを回動自在に枢着するとともに、
前記洗浄用すべり弁の突出端部は、前記圧縮空気用すべり弁の突出端部よりも前方に突出させ、前記操作レバーは、前記圧縮空気用の長い操作レバーを内側にし、前記洗浄液用の短い操作レバーを外側にして配設し、かつ前記二つの操作レバー間に弾性連結部材が介装されていることを特徴とする洗浄兼エアブロー装置。
【請求項２】
前記ジェットポンプ部は、圧縮空気用供給孔の先端に圧入したインナノズルと、該インナノズルと同心状に形成された取付溝に螺着するアウタノズルと、該アウタノズルの円錐状内面と該インナノズルの円錐状外面とにより形成され前記洗浄液供給孔と連通する環状ノズル孔を有することを特徴とする請求項１に記載の洗浄兼エアブロー装置。
【請求項３】
前記洗浄用すべり弁は、圧縮空気用のすべり弁よりも上方に設け、内側にある操作レバーには前記洗浄液用供給弁の突出端部を避けるための切欠部が形成されていることを特徴とする請求項１に記載の洗浄兼エアブロー装置。
【請求項４】
前記銃身部後端に圧縮空気用供給孔と繋がる圧力調整用のニードル弁が装着されていることを特徴とする請求項１に記載の洗浄兼エアブロー装置。
【発明の詳細な説明】
【０００１】
【産業上の利用分野】
本発明は、高圧空気を駆動源とするジェットポンプの原理を利用した吸引機構により洗浄液タンクから必要量の洗浄液を吸引し、高速空気ジェットとともに被洗浄物に洗浄液を衝突させて洗浄を行ったあとは、エアブローに切り替えて被洗浄面を乾燥させるようにした装置に関する。
【０００２】
【従来の技術】
自動車の整備や検車時には、部品についた油汚れや土等を最初に綺麗に洗浄除去してから検査あるいは取替え作業にかかるのが常である。このときに使用する洗浄剤は、例えばブレーキを洗う洗浄剤はブレーキクリーナー、エンジン部品を洗う洗浄剤はエンジンクリーナー、その他の金属部品を洗う洗浄剤はパーツクリーナーといった具合に用途毎に種々の商品がある。これら商品の殆どはエアゾル缶に極く少量の洗浄剤とエア若しくはガスを充填したものであったため、使用後のエアゾル缶を廃棄するのに困るという問題があった。このようなエアゾル缶を使い捨てにする不都合を解消するために、特開平１１−５９３４０号公報には、エアコンプレッサから送られてくる高圧空気によって携帯用洗浄液タンク内の洗浄液を吸引噴射させ、洗浄が終われば切替えボタンの操作で、エアブローさせることができるようにした装置が開示されている。
【０００３】
【発明が解決しようとする課題】
本発明が解決しようとする課題は、液噴射とエアブローという異なる機能を一つのガンによって達成するという点では同じであるが、片手でもって一層簡単に操作可能ならしめた装置を提供することをその目的とするものである。
【０００４】
【課題を解決するための手段】
このため、本発明は、拳銃に似たガン本体の銃身部先端に、圧縮空気用と洗浄液用の各供給孔と繋がるジェットポンプ部を設け、そのガン本体の中間部に、前記各供給孔と繋がる出口部をもった圧縮空気用と洗浄液用の供給弁を設け、その銃把部に、銃把底面から上記各供給弁の入口部に至る圧縮空気用と洗浄液用の導入孔を穿設した洗浄兼エアブロー装置において、前記各供給弁は、内装されたバネの弾撥力ですべり弁体が押されて閉弁され、該バネの弾撥力に抗してガン本体の前面箇所から突き出る弁体の突出端部を押し込むことによって開弁されるすべり弁となし、前記銃身部には、圧縮空気用と洗浄液用の各すべり弁体の突出端部先端に当接する操作レバーを回動自在に枢着するとともに、前記洗浄用すべり弁の突出端部は、前記圧縮空気用すべり弁の突出端部よりも前方に突出させ、前記操作レバーは、前記圧縮空気用の長い操作レバーを内側にし、前記洗浄液用の短い操作レバーを外側にして配設し、かつ前記二つの操作レバー間に弾性連結部材が介装されているものである。
【０００５】
前記ジェットポンプ部は、圧縮空気用供給孔の先端に圧入したインナノズルと、該インナノズルと同心状に形成された取付溝に螺着するアウタノズルと、該アウタノズルの円錐状内面と該インナノズルの円錐状外面とにより形成され前記洗浄液供給孔と連通する環状ノズル孔を有するものである。
【０００６】
また、前記洗浄用すべり弁は、圧縮空気用のすべり弁よりも上方に設け、内側にある操作レバーには前記洗浄液用供給弁の突出端部を避けるための切欠部が形成されているものである。
【０００７】
また、前記銃身部後端には、圧縮空気用供給孔と繋がる圧力調整用のニードル弁を装着したものである。
【０００８】
【発明の実施の態様】
本発明を図１に示す実施例によって説明する。
最初にこの洗浄兼乾燥装置を概説すると、拳銃に似たガン本体１の銃身部１ａ先端には、圧縮空気用と洗浄液用の各供給孔３，４と繋がるジェットポンプ部２が設けられ、そのガン本体１の中間部１ｂには、前記各供給孔３，４と繋がる出口部をもった圧縮空気用と洗浄液用の供給弁５，６が設けられ、その銃把部１ｃには、銃把底面から上記各供給弁５，６の入口部に至る圧縮空気用と洗浄液用の導入孔７，８が設けられている。
【０００９】
ジェットポンプ部２は、圧縮空気用供給孔３の先端に圧入したインナノズル９と、該インナノズル９と同心状に形成された取付溝１１に螺着するアウタノズル１２と、該アウタノズル１２の円錐状内面１２ａと該インナノズル９の円錐状外面９ａとにより形成され、前記洗浄液用供給孔４と連通する環状ノズル流路１３を有する。１０は、インナノズル９の軸芯に形成された小径の噴孔である。圧縮空気用供給孔３の後端には圧縮空気流量調整用のニードル弁１４が装着される。
【００１０】
圧縮空気用供給孔３と交差させて穿設した縦孔１５は、前記したニードル弁１４と圧縮空気用供給弁５の出口箇所と連通するように設けられ、また、洗浄液用供給孔４と交差させて穿設した縦孔１６は、洗浄液用供給弁６の出口箇所と連通するように設けられる。両縦孔１５，１６の開口端の封鎖は、該開口端に鋼球１７を打ち込むことでなされる。
【００１１】
つぎに、圧縮空気と洗浄液の各供給弁５，６は、いずれも摺動自在な弁体１８を有し、摺動面の液密あるいは気密性はＯリングによってなされる公知のすべり弁が用いられる。図３の洗浄液用供給弁６の断面図を使って説明すると、弁体１８の一端には突出端部１９が形成され、弁体１８の他端は、内装されたバネ２０による弾撥力を常時受ける。２１は、バネ２０の一端を受承するバネ受けである。この弁体１８には截頭円錐状当接部２２が形成されていて、この截頭円錐状当接部２２がガン本体１側に形成した環状傾斜面２３に係合係止したとき閉弁状態となり、開弁状態にするには、ガン本体１の外方に突き出る突出端部１９を前記バネ２０の力に抗し右側に押し込むとき開弁状態になる。その押込みを解除すると、前記バネ２０の力で自動的に閉弁状態に戻ることになる。
【００１２】
前記二つの供給弁５，６は長手方向に併設され、閉弁の状態でガン本体１から突出する突出端部１９の長さは、洗浄液用供給弁６の方が圧縮空気用供給弁５よりも長く突出させている（図１参照）。また、インナノズル９の中心Ａに対し、その片側下方に洗浄液用供給弁６を設け、その反対側下方で且つ洗浄液用供給弁６よりも更に下げた位置に圧縮空気用供給弁５を配置している（図２参照）。
【００１３】
銃身部１ａに設けた軸２４に、圧縮空気用の長い操作レバー２５を内側にし、洗浄液用の短い操作レバー２６を外側にして、それぞれ両突出端部１９と対向させて回動自在に装着している。前記のとおり、洗浄液用供給弁６の突出端部１９の方が圧縮空気用供給弁５の突出端部１９よりも長く突出しているから、内側にある操作レバー２５には前記洗浄液用供給弁６の突出端部１９を避けるための切欠部２７が形成され、レバー操作に支障ないようにする。二つの操作レバー２５，２６間にＵ形の板バネ等の弾性連結部材２８を介装している。
【００１４】
尚、符号２９，３０は、エアタンクや洗浄液貯溜タンクに接続したスパイラルチューブ等（図示するを省略）を取付けるコネクタである。
【００１５】
つぎに上記した装置の使用法について説明する。人差し指を短い操作レバー２６に掛け、中指と薬指とを長い操作レバー２５に掛け、残りの指で銃把部１ｃを掴み、ガン本体１を把持する。人差し指がかかっている洗浄用操作レバー２６を手前に引くと、洗浄液用供給弁６の突出端部１９は押されることになって開弁状態になる。このとき、二つの操作レバー２５，２６間には板バネ等の弾性連結部材２８が介装されているから、長い操作レバー２５でも圧縮空気用供給弁５の突出端部１９の押し込みがされて開弁状態にさせる。こうしてインナノズル９の噴孔１０から高速のエア流が噴射され、その周囲の空気を巻き込んで大気中に流出すると、環状ノズル流路１３近傍の圧力は大気圧以下に減圧されるので、洗浄液タンク（図示せず）内の洗浄液が順次吸引され、吸引された液面がノズル部に達すると洗浄液が高圧空気と共に大気中に噴射され、エア・洗浄液の混合ジェット流による洗浄が行われる。このように、作業者は人差し指で操作レバーを引くだけで、洗浄開始が円滑になされる。
【００１６】
洗浄工程が終了後は、作業者は人差し指を操作レバーから離し、中指と薬指とを使ったレバー操作だけを続けると、洗浄液用供給弁６は内装したバネ２０の復元弾性圧力によって元の閉弁状態に戻り洗浄液の供給は停止するが、高圧空気の噴射だけは引き続きなされる。このように洗浄からエアブローへの切替えは殆ど瞬時になされることになる。洗浄あるいはエアブロー中に、洗浄液の噴射状態を調整したいときは、ニードル弁１４の開度を適宜調整することで可能である。
【００１７】
上記の説明は最も好ましい態様によって説明したが、ガン本体の幅が多少幅広になってもよいならば、インナノズルの中心線に対して洗浄液噴射用とエア噴射用の供給弁の配置は左右均等に振り分けることも可能で、この場合の各操作レバーは重ね合わす必要はなくなって左右に並ぶ配置でもよい。両操作レバーが回動自在に枢着する軸にしても、必ずしも一本で共用する必要はなく、各別の位置に設けた枢軸の回りを回動するようにしてもよい。
【００１８】
【発明の効果】
以上の説明から明らかなように、請求項１の発明によれば、液噴射とエアブローの切り替えは片手の人差し指と薬指とを使って洗浄液用と高圧空気用の操作レバーを引くという簡単な操作で可能である。高圧空気・洗浄液の混合ジェット流は柱状をなすため、被洗浄物の汚れを強力に落してくれる。液噴射が終わると同時に洗浄液供給弁による遮断がなされて洗浄液を洗浄液タンクへ戻らなくするから、次回使用時には即座に液噴射させることができる。
【００１９】
請求項２の発明によれば、高い吸引特性が得られるため、洗浄液タンクの設置位置が遠くかつ低いところにあり、ガン本体までのチューブ長さが長いといった場合でも、確実に吸引噴射させることができる。
【００２０】
請求項３の発明によれば、ガン本体をできるだけ幅狭なものにすることができるし、殆ど人差し指１本だけで操作できるという使い勝手が更によいものにすることができる。
【００２１】
また、請求項４の発明によれば、銃身部後端に圧縮空気用供給孔と繋がる圧力調整用のニードル弁を装着したことで、洗浄あるいはエアブロー中でも簡単にニードル弁の開度を調整して、最適な状態での使用を可能とする。
【図面の簡単な説明】
【図１】本発明の実施例を示す正面図である。
【図２】図１に示したものの側面図である。
【図３】図１に示した洗浄液用供給弁の断面図である。
【符号の説明】
１    ガン本体
２    ジェットポンプ部
３    圧縮空気用供給孔
４    洗浄液用供給孔
５    圧縮空気用供給弁
６    洗浄液用供給弁
７    圧縮空気用導入孔
８    洗浄液用導入孔
９    インナノズル
９ａ  インナノズルの円錐状外面
１０    インナノズルの噴孔
１１    取付溝
１２    アウタノズル
１２ａ  アウタノズルの円錐状内面
１３    環状ノズル流路
１４    ニードル弁
１８    弁体
１９    突出端部
２０    バネ
２５    操作レバー
２６    操作レバー
２７    切欠部
２８    弾性連結部材
【図１】
0004328872.tif 000002
【図２】
0004328872.tif 000003
【図３】
0004328872.tif 000004